(57)【要約】      （修正有）【課題】歩行の際に足の屈曲にあわせて屈曲する履物を提供する。【解決手段】つま先部分が接する前方部と、かかと部分が接する後方部と、前記前方部と前記後方部を接合する中間部とからなる履物において、前記中間部が弾性体で形成され、かつ前後方向の幅が４ｃｍから７ｃｍであり、足根小球が接する部分に配置される。また、履物の密着性を高めるために、前記中間部が前記前方部及び前記後方部よりも高く、１ｍｍ〜１０ｍｍの範囲で段差を有する。【選択図】図１
0003164359.tif 000002
【実用新案登録請求の範囲】
【請求項１】
つま先部分が接する前方部と、かかと部分が接する後方部と、前記前方部と前記後方部を接合する中間部とを備え、前記中間部が弾性体で形成される履物において、
前記前方部及び前記後方部は、前記中間部よりも硬度の高い材料で形成され、
前記中間部は、前後方向の幅が４ｃｍから７ｃｍであり、足根小球が接する部分に配置されることを特徴とする履物。
【請求項２】
請求項１に記載の履物において、
前記中間部が前記前方部及び前記後方部より高く、１ｍｍ以上１０ｍｍ以下の範囲で段差を有することを特徴とする履物。
【請求項３】
請求項１又は２に記載の履物において、
前記弾性体がゴムであることを特徴とする履物。
【請求項４】
請求項１〜３のいずれか１項に記載の履物において、
前記前方部、前記中間部及び前記後方部は、下面部分が補強シートによって連結されることを特徴とする履物。
【請求項５】
請求項１〜４のいずれか１項に記載の履物において、
前記前方部、前記中間部及び前記後方部の下面部分には、弾性体で形成される底部が配設されることを特徴とする履物。
【考案の詳細な説明】
【技術分野】
【０００１】
本考案は、つま先部分が接する前方部と、かかと部分が接する後方部と、前記前方部と前記後方部を接合する中間部とを備え、前記中間部が弾性体で形成される履物に関する。
【背景技術】
【０００２】
一般に、天板部分が木製や硬質合成樹脂などからなる下駄やサンダル等の履物は、ファッション性に優れ、履き心地がよいために多く使用されている。しかし、従来の天板部分が木製や硬質合成樹脂のみからなる履物は天板の全面が屈曲しない素材で作られているため、歩行の際に足の屈曲にあわせて履物が屈曲しない。そのため、歩行が困難であるという問題点がある。
【０００３】
この問題点を解決するために、つま先部分が接する前方部と、かかと部分が接する後方部と、前方部と後方部を接合する中間部とから成り、中間部を弾性体で形成することで屈曲性を付与した履物が提案されている。（特許文献１、２）
【先行技術文献】
【特許文献】
【０００４】
【特許文献１】特開２００２−１４２８０２号公報
【特許文献２】実用新案登録第３０８６２９９号公報
【考案の概要】
【考案が解決しようとする課題】
【０００５】
特許文献１に記載の発明は、足の屈曲部に対応する位置を横方向に僅かばかり間隙を設けて切断し、その間隙に液状合成樹脂を充填することにより屈曲性を持たせている。その間隙が小さいため、歩行時において履物が足の屈曲に容易に追随せず、歩行が困難となる問題がある。また、履物の屈曲性を増すために、足裏の屈曲対応位置の前後方向と横方向に複数の間隙を設けて液状樹脂を充填した発明も記載されているが、構造が複雑となり成形が困難であるという問題がある。
【０００６】
特許文献２に記載の考案は、特許文献１に記載の発明とほぼ同一であり、靴底の屈曲部に欠如部を形成し、合成樹脂をインサートして履物の屈曲性を持たせるようにしたものであり、構造が複雑となり成形が困難であるという問題がある。
【０００７】
さらに、特許文献１に記載の発明及び特許文献２に記載の考案では、足の屈曲する部分である足根小球（足指と土踏まずの間の盛り上がった部分）が、合成樹脂が充填された隙間部分に接するため、歩行に際して違和感を生じるという問題がある。
【０００８】
そしてさらに、特許文献１に記載の発明及び特許文献２に記載の考案では、液状樹脂を間隙に充填するために屈曲対応位置とその前後方向部とに段差がないために歩行時に履物が足に密着せず歩行がしづらいという問題がある。
【０００９】
本考案の目的は上記のような問題点を解消することにあり、歩行時に足の屈曲に併せてスムーズに足に追随する履物を提供することを目的とする。また、単純な構造で容易に成形できる履物を提供することを目的とする。さらに、足裏に違和感を生ずることなく歩行を行うことのできる履物を提供することを目的とする。そしてさらに、歩行時に足裏に履物がより密着する履物を提供することを目的とする。
【課題を解決するための手段】
【００１０】
前記の目的を達成するために、本考案に係わる履物は、つま先部分が接する前方部と、かかと部分が接する後方部と、前記前方部と前記後方部を接合する中間部とを備え、前記中間部が弾性体で形成される履物において、
前記前方部及び前記後方部は、前記中間部よりも硬度の高い材料で形成され、前記中間部は、前後方向の幅が４ｃｍから７ｃｍであり、足根小球が接する部分に配置されることを特徴とする。
【００１１】
また、前記中間部が前記前方部及び前記後方部より高く、１ｍｍ以上１０ｍｍ以下の範囲で段差を有することを特徴とする。
【００１２】
さらに、前記弾性体がゴムであることを特徴とする。
【００１３】
そして、前記前方部、前記中間部及び前記後方部は、下面部分が補強シートによって連結されることを特徴とする。
【００１４】
そしてまた、前記前方部、前記中間部及び前記後方部の下面部分には、弾性体で形成される底部が配設されることを特徴とする。
【考案の効果】
【００１５】
本考案は、足裏の屈曲部分である足根小球に対応する部分を中心として、前後方向に４ｃｍから７ｃｍの幅の弾性体で形成される中間部を設けることにより、歩行の際に履物が足の屈曲にあわせてしなやかに屈曲するために、歩行時における歩きにくさが解消される。
【００１６】
また、弾性体で形成される中間部の前後方向の幅を４ｃｍから７ｃｍとすることで、足根小球の接する部分が弾性体の部分のみとなり、歩行時において前方部及び後方部と、中間部とのつなぎ目に足根小球が接することがなく、違和感を生じることがない。
【００１７】
そして、弾性体で形成される中間部が、前方部及び後方部より高く、１ｍｍから１０ｍｍの範囲の段差を有することにより、歩行の際に履物が足裏に密着して歩きやすくなる。
【００１８】
さらに、つま先部分が接する前方部と、かかと部分が接する後方部と、前方部と後方部を接合する弾性体である中間部とで構成することにより、構造が単純となり、成形が容易となる。
【図面の簡単な説明】
【００１９】
【図１】本考案における履物の全体図である。
【図２】上記履物の平面図である。
【図３】上記履物の縦断面図である。
【図４】上記履物の中間部と前方部及び後方部とで段差を有する履物の縦断面図である。
【考案を実施するための形態】
【００２０】
以下に、本考案における履物の実施形態を図面に基づいて詳しく説明する。
【００２１】
図１は本考案における履物１０の全体図を示している。図１に示すように本実施形態に係る履物１０は、つま先部分が接する前方部１２と、かかと部分が接する後方部１４と、前方部１２と後方部１４とを接合する中間部１６とを備える。また、前方部１２、中間部１６及び後方部１４にまたがって足を固定するアッパー１８が取り付けられる。なお、アッパー１８は鼻緒等の他の形態で構成してもよい。また、図２及び図３に示すように、前方部１２、後方部１４及び中間部１６の下面部分には、前方部１２、後方部１４及び中間部１６を連結して補強する補強シート２２が接合される。さらに、前方部１２、中間部１６及び後方部１４の下面部分には、補強シート２２を介して、弾性体よりなる底部２０が配設される。
【００２２】
さらに、中間部１６は、前後方向の幅が４ｃｍから７ｃｍに設定される。中間部１６及び底部２０を形成する弾性体はゴム状の物質を意味しており、天然ゴムや合成ゴムなどがあるが、価格、耐久性、重量等の面において発泡ゴムが好ましい。発泡ゴムとしては、ウレタンゴム、クロロプレンゴム、ニトリルゴム、アクリルゴム、フッ素ゴム、ブチルゴム、ＥＶＡ発泡ゴムなどを用いることができるが、特にＥＶＡ発泡ゴムが好適である。また、前方部１２及び後方部１４を形成する材料としては、中間部１６を形成する弾性体よりも硬度の高い材料、例えば、木材や硬質合成樹脂を使用することが好ましい。
【００２３】
また、本実施形態においては前方部１２，中間部１６，後方部１４は同じ高さであるが、図４に示すように中間部１６は前方部１２及び後方部１４よりも高くても良く、前方部１２及び後方部１４と中間部１６との境界部分で１ｍｍ以上１０ｍｍ以内の範囲で段差を有することが好ましい。１ｍｍよりも段差が低い場合には、歩行の際に中間部１６の足裏への密着性が低くなる。また、段差が１０ｍｍを超える場合には、中間部１６と前方部１２または後方部１４との継ぎ目の段差が大きくなりすぎて、足裏に違和感を生じる。
【実施例】
【００２４】
以下に実際の履物を製造するための実施例を示す。まず、木製の天板部分を木材から切り出し、つま先部分が接する前方部１２と、かかと部分が接する後方部１４と、前方部１２と後方部１４との間にある中間部分とに分割する。この時、前方部１２を５ｃｍ、中間部分を５ｃｍ、後方部１４を１５．５ｃｍの幅で前後方向にそれぞれ分割した。
【００２５】
その後、ＥＶＡ発泡ゴム板から、木材の前記中間部分と同じ形状のＥＶＡ発泡ゴム部を切り出して中間部１６とし、前方部１２及び後方部１４の断面に接着剤を塗布し、中間部１６と接合した。そして、前方部１２、中間部１６及び後方部１４の裏面に、各部をまたがるように補強シート２２を接着剤を用いて張り付けた。
【００２６】
次いで、アッパー１８をつり込み、ＥＶＡ発泡ゴムでできた底部２０を、前方部１２、後方部１４及び中間部１６の裏面に補強シート２２を介して接着剤で張り付けることにより、履物１０を製造した。
【００２７】
なお、本発明は上述した実施の形態に限定されるものではなく、本発明の趣旨を逸脱しない範囲で変更することが可能である。
【符号の説明】
【００２８】
１０  履物
１２  前方部
１４  後方部
１６  中間部
１８  アッパー
２０  底部
２２  補強シート
２４  足根小球
【図１】
0003164359.tif 000003
【図２】
0003164359.tif 000004
【図３】
0003164359.tif 000005
【図４】
0003164359.tif 000006